(57)【要約】【課題】本発明の解決しようとする課題は、最も使用頻度の高い、縦方向／左綴じと、横方向／天綴じの２つの使い方のどちらでも選択することができる紙ファイルを提案するものである。【解決手段】２穴パンチによって長辺に穿孔された書類用紙１５を綴じるための紙ファイル１であって、折罫線５、６を介して連設されたＡ面表紙２と背表紙４とＢ面表紙３とを有し、Ａ面表紙は縦長の用紙を左側の長辺で綴じる場合（縦使い）の使用を促す表示７を有し、Ｂ面表紙は横長の用紙を上側の長辺で綴じる場合（横使い）の使用を促す表示８を有し、Ａ面表紙及びＢ面表紙の前記背表紙近傍に、とじ具１１を取り付けるためのＨ字型の切込み９、１０を有することを特徴とする紙ファイルである。【選択図】図１
2019130681.tif 000002
【特許請求の範囲】
【請求項１】
２穴パンチによって長辺に穿孔された書類用紙を綴じるための紙ファイルであって、折罫線を介して連設されたＡ面表紙と背表紙とＢ面表紙とを有し、Ａ面表紙は縦長の用紙を左側の長辺で綴じる場合（縦使い）の使用を促す表示を有し、Ｂ面表紙は横長の用紙を上側の長辺で綴じる場合（横使い）の使用を促す表示を有し、Ａ面表紙及びＢ面表紙の前記背表紙近傍に、とじ具を取り付けるためのＨ字型の切込みを有することを特徴とする紙ファイル。
【請求項２】
前記Ａ面及びＢ面の表示は、それぞれの表紙を所定の向きにした時に、表題を横書きするための横罫線と、横書きの広告表示を含むものであることを特徴とする請求項１に記載の紙ファイル。
【発明の詳細な説明】
【技術分野】
【０００１】
本発明は、書類を綴じて整理するために使用する紙製のファイル表紙に関し、特に簡単な操作で縦方向にも横方向にも使用可能な紙製ファイル表紙（以下紙ファイルと称する）を提案するものである。
【背景技術】
【０００２】
紙ファイルとしては、厚紙製の表紙に、書類を綴じるためのとじ具を予め取り付けたものが市販されている。これは一般的にフラットファイルと称されるもので、通常の使い方としては、例えばＡ４サイズでいえば、Ａ４の用紙を縦方向にした書類を左側の長辺で綴じるもの（左綴じ、Ｓ型）と、Ａ４の用紙を横方向にした書類を左側の短辺で綴じるもの（Ｅ型）とが一般的であり、それぞれの使用方向に従って、表紙に題名を書き込む欄などが表示されている。
【０００３】
通常、左側の長辺で綴じるものを縦用、左側の短辺で綴じるものを横用と称するが、通常の紙ファイルは、同じＡ４サイズでも縦用と横用とでは構造が異なるため、縦用、横用の２種類を用意しなければならない。実際、縦用（Ｓ型）と横用（Ｅ型）の２種類の紙ファイルが市販されており、これを使い分けることになる。
【０００４】
特許文献１に記載された縦横両用バインダーは、この不便を解消しようとしたものであり、一つのバインダーの表表紙と裏表紙にそれぞれ縦方向用と横方向用の二つの狭持具（とじ具）を取り付けることにより、縦方向の書類も横方向の書類も一つのバインダーに綴じられるようにしたものである。
【０００５】
特許文献１に記載された縦横両用バインダーは、表表紙と裏表紙のそれぞれにとじ具が取り付けられているため、縦横どちらか１種類の書類を綴じようとすると使用しないとじ具が無駄になる、あるいは邪魔になるという問題がある。
【０００６】
また、特許文献１に記載された縦横両用バインダーは、縦方向の書類の上部短辺を綴じるとじ具と、横方向の書類の上部長辺を綴じるとじ具の２つのとじ具を備えたものであり、現状最も多く使用される、縦方向／左綴じ、横方向／天綴じには対応できないものである。
【０００７】
仮に、特許文献１に記載された縦横両用バインダーの考え方を取り入れて、この縦方向／左綴じ、横方向／天綴じに対応できるようにしようとすると、表表紙の長辺と裏表紙の長辺にそれぞれとじ具を取り付ける必要があり、ファイルを閉じた時に、２つのとじ具が干渉して甚だ使い難いものとなってしまう。
【０００８】
また、前述の一般的なＳ型フラットファイルは、縦方向／左綴じを想定したものであるため、横方向／天綴じに使用しようとすると、表紙の印刷表示がちぐはぐなものとなり、甚だ使い難かった。
【先行技術文献】
【特許文献】
【０００９】
【特許文献１】実開昭６０−３４４７３号公報
【発明の概要】
【発明が解決しようとする課題】
【００１０】
本発明の解決しようとする課題は、最も使用頻度の高い、縦方向／左綴じと、横方向／天綴じの２つの使い方のどちらでも選択することができる紙ファイルを提案するものである。
【課題を解決するための手段】
【００１１】
上記の課題を解決するための手段として、請求項１に記載の発明は、２穴パンチによって長辺に穿孔された書類用紙を綴じるための紙ファイルであって、折罫線を介して連設されたＡ面表紙と背表紙とＢ面表紙とを有し、Ａ面表紙は縦長の用紙を左側の長辺で綴じる場合（縦使い）の使用を促す表示を有し、Ｂ面表紙は横長の用紙を上側の長辺で綴じる場合（横使い）の使用を促す表示を有し、Ａ面表紙及びＢ面表紙の前記背表紙近傍に、とじ具を取り付けるためのＨ字型の切込みを有することを特徴とする紙ファイルである。
【００１２】
本発明に係る紙ファイルは、Ａ面表紙とＢ面表紙をそれぞれ縦使い用、横使い用に適した表示を有するものとしたので、どちらの向きに使用しても、違和感なく使用することができる。
【００１３】
また、請求項２に記載の発明は、前記Ａ面及びＢ面の表示が、それぞれの表紙を所定の向きにした時に、表題を横書きするための横罫線と、横書きの広告表示を含むものであることを特徴とする請求項１に記載の紙ファイルである。
【発明の効果】
【００１４】
本発明に係る紙ファイルは、Ａ面表紙に縦長の用紙を左側の長辺で綴じる場合（縦使い）の使用を促す表示を有し、Ｂ面表紙には横長の用紙を上側の長辺で綴じる場合（横使い）の使用を促す表示を有するので、ＡＢどちらかの面を表表紙として用いることにより、縦使いにも横使いにも対応することができる。
【００１５】
予めとじ具を取り付けず、使用方向に応じて必要なとじ具を取り付けて使用するようにしたため、縦横２方向用のとじ具同士が干渉することがない。また、とじ具を取り付ける位置には、孔をあけず、Ｈ字型の切込みとしたので、使用しない側の切込みは目立たず、外観的に優れたものとなった。
【００１６】
とじ具を取り付けるためのＨ字型の切込みは、丸穴と異なり市販の金属板製とじ具を挿入するのに際して、挿入し易く、また挿入後もとじ具がぐらぐらすることがない。
【００１７】
請求項２に記載の発明のように、Ａ面及びＢ面の表示が、それぞれの表紙を所定の向きにした時に、表題を横書きするための横罫線と、横書きの広告表示を含むものである場合には、直感的に使用方向が分かり易く、また使用方向を示す表示が広告を兼ねるので、企業向けの広告媒体としても有用である。
【図面の簡単な説明】
【００１８】
【図１】図１は、本発明に係る紙ファイルの一実施態様を示した模式図であり、Ａ面とＢ面を広げた状態を示した平面模式図である。
【図２】図２は、図１に示した紙ファイルの折罫線を折り、縦使いとした状態を示した平面説明図である。
【図３】図３は、図２の状態からＡ面表紙を開いた状態を示した斜視説明図である。
【図４】図４は、図１に示した紙ファイルの折罫線を折り、横使いとした状態を示した平面説明図である。
【図５】図５は、図４の状態からＢ面表紙を開いた状態を示した斜視説明図である。
【図６】図６は、とじ具を取り付けるためのＨ字型の切込みの拡大説明図である。
【図７】図７は、とじ具の一例を示した模式図である。
【発明を実施するための形態】
【００１９】
以下、図面を参照しながら、本発明に係る紙ファイルについて詳細に説明する。図１は、本発明に係る紙ファイル１の一実施態様を示した模式図であり、Ａ面とＢ面を広げた状態を示した平面模式図である。本発明に係る紙ファイルは、２穴パンチによって長辺に穿孔された書類用紙を綴じるための紙ファイルであって、折罫線Ａ（５）、折罫線Ｂ（６）を介して連設されたＡ面表紙２と背表紙４とＢ面表紙３とを有する。
Ａ面表紙２は縦長の用紙を左側の長辺で綴じる場合（縦使い）に、表表紙となるものであり、Ａ面表紙２には、縦使いでの使用を促すＡ面表示７を有する。一方、Ｂ面表紙３は横長の用紙を上側の長辺で綴じる場合（横使い）に、表表紙となるものであり、Ｂ面表紙３には、横使いでの使用を促すＢ面表示８を有する。
【００２０】
図１に示した例では、Ａ面表示７は、横罫線１３と広告１４とから成り、Ｂ面表示８も同様に、横罫線１３と広告１４とから成る。
Ａ面表紙２及びＢ面表紙３の背表紙４近傍には、とじ具１１を取り付けるためのＨ字型の切込み９、１０を有する。
【００２１】
図２は、図１に示した紙ファイル１の折罫線Ａ（５）、Ｂ（６）を折り、縦使いとした状態を示した平面説明図である。また、図３は、図２の状態からＡ面表紙２を開いた状態を示した斜視説明図である。縦使いの場合、２穴パンチによって長辺に穿孔された書類用紙１５を綴じるためのとじ具１１は、図３では見えないが、Ｂ面表紙３に設けられたＨ字型の切込み１０に取り付けて使用する。
【００２２】
この時、Ａ面表紙２に設けられたＨ字型の切込み９は、使用しないが、丸穴などと異なり、目立たないので、違和感は生じない。
【００２３】
とじ具１１としては、図７に示したような、薄鋼板を打抜いて作成した市販のとじ具（ファスナー）が好適に使用できる。図７に示したものは、紙ファイルに接する面に粘着テープ１２が貼られており、離型紙を剥がすことにより、容易に接着できる。
【００２４】
本発明に係る紙ファイルにおいては、とじ具を取り付けるためにＨ字型の切込み９、１０を用いたので、図７に示したような薄板状のとじ具１１を取り付けるのには、Ｈ字の水平部分の切込みに挿入し易く、また挿入後も丸穴の場合のように、ぐらぐらしないため、好適に使用できる。
【００２５】
図４は、図１に示した紙ファイル１の折罫線Ａ（５）、Ｂ（６）を折り、横使いとした状態を示した平面説明図である。また、図５は、図４の状態からＢ面表紙３を開いた状態を示した斜視説明図である。横使いの場合、２穴パンチによって長辺に穿孔された書類用紙１５を綴じるためのとじ具１１は、図５では見えないが、Ａ面表紙２に設けられたＨ字型の切込み９に取り付けて使用する。
【００２６】
この時、Ｂ面表紙３に設けられたＨ字型の切込み１０は、使用しないが、丸穴などと異なり、目立たないので、違和感は生じない。
【００２７】
以上のように、本発明に係る紙ファイル１は、縦使いにも横使いにも全く同様に極く自然に違和感なく対応できるところに特徴がある。
【００２８】
Ａ面表紙２において縦使いを促すＡ面表示７と、Ｂ面表紙３において横使いを促すＢ面表示については、図１に示した例ではそれぞれの使用方向における横罫線１３と広告１４から構成されているが、特にこれに限定されるものではなく、任意に構成されて良いことは言うまでもない。
【００２９】
この例のように、広告となる文字を使う方向に従って配置すると、ファイルの使用方向が分かり易く、また広告媒体としても有効であるため、好ましい。
【００３０】
図６は、とじ具を取り付けるためのＨ字型の切込み９、１０の拡大説明図である。２組のＨ字型の切込みにおけるそれぞれのＨ字型の切込みの間隔は、ＪＩＳ  Ｓ  ６０４１（事務用あなあけ器）に規定された２穴の間隔である８０±０．５ｍｍに従って、２つのＨ字型の縦棒同士の間隔を同じく８０±０．５ｍｍとするのが良い。
【００３１】
また、Ｈ字型の寸法としては、同様にＪＩＳ  Ｓ  ６０４１に規定する穴の直径である６±０．５ｍｍに従って、Ｈ字型の２本の縦棒の間隔を６±０．５ｍｍとするのが良い。
【００３２】
また、Ｈ字型の切込み９と折罫線Ａ（５）との間隔については、同様にＪＩＳ  Ｓ  ６０４１に規定する紙の端から穴の中心までの距離１２±１ｍｍから、１５ｍｍ程度とするのが良い。Ｈ字型の切込み１０と折罫線Ｂ（６）との間隔についても同様である。
【００３３】
本発明に係る紙ファイル１に使用する用紙については、特に限定されないが、剛性と印刷適性などから、坪量２００〜５００ｇ／ｍ２程度のバージン紙、カード紙、カップ原紙、コートボール紙等が使用できる。特に紙ファイルとしての使用適性、耐久性等から４００ｇ／ｍ２のカード紙が好ましい
【符号の説明】
【００３４】
１・・・紙ファイル
２・・・Ａ面表紙
３・・・Ｂ面表紙
４・・・背表紙
５・・・折罫線Ａ
６・・・折罫線Ｂ
７・・・Ａ面表示
８・・・Ｂ面表示
９・・・Ｈ字型の切込み
１０・・・Ｈ字型の切込み
１１・・・とじ具
１２・・・粘着テープ
１３・・・罫線
１４・・・広告
１５・・・書類用紙
【図１】
2019130681.tif 000003
【図２】
2019130681.tif 000004
【図３】
2019130681.tif 000005
【図４】
2019130681.tif 000006
【図５】
2019130681.tif 000007
【図６】
2019130681.tif 000008
【図７】
2019130681.tif 000009